(57)【要約】【課題】関連するアプリケーションソフトを情報機器側が有していなくても容易に使用することができるとともに、関連するアプリケーションソフトを情報機器側のストレージに格納する必要がなく、利便性を大幅に向上させることが可能なデジタルビデオカメラの提供。【解決手段】デジタルビデオカメラ１に内蔵されたフラッシュメモリー２０を、メモリーコントローラー４０によってＲＯＭ領域２２とＲＡＭ領域２４に区画して制御するとともに、ＲＯＭ領域２２には予め撮影した動画データを情報機器側で扱うためのアプリケーションソフトを格納しておく。【選択図】      図１
2004208247.tif 000002
【特許請求の範囲】
【請求項１】
デジタルビデオカメラであって、
撮影手段と、
前記撮影手段によって撮影した動画を所定の圧縮形式のデジタル信号に動画圧縮する動画圧縮手段と、
フラッシュメモリーと、
前記フラッシュメモリーをＲＯＭ領域とＲＡＭ領域に区画して制御するメモリーコントローラーと、
外部の情報機器に動画データを転送可能とする動画データ転送手段と、
を有することを特徴とするデジタルビデオカメラ。
【請求項２】
前記フラッシュメモリーのＲＯＭ領域に、撮影した動画データを情報機器側で扱うためのアプリケーションソフトが格納されていることを特徴とする請求項１に記載のデジタルビデオカメラ。
【請求項３】
前記フラッシュメモリーに格納される撮影した動画データを情報機器側で扱うためのアプリケーションソフトが、動画ビューワーソフト、動画加工ソフト、動画管理ソフト、動画圧縮伸張ソフト、動画フォーマット変換ソフトのうち何れかであることを特徴とする請求項１又は２に記載のデジタルビデオカメラ。
【請求項４】
前記ＲＡＭ領域をＦＡＴファイルシステムによって管理するとともに、前記ＲＯＭ領域をＩＳＯ９６６０ファイルシステム及び／又はＨＦＳによって管理することを特徴とする請求項１又は２又は３に記載のデジタルビデオカメラ。
【発明の詳細な説明】
【０００１】
【発明の属する技術分野】
本発明は、デジタルビデオカメラに係り、特に、フラッシュメモリーを内蔵するデジタルビデオカメラに関する。
【０００２】
【従来の技術】
近年、撮影した動画をデジタルデータ化して、半導体メモリーや磁気ディスクなどに保存することにより、撮影した動画の保存や受け渡しを可能とするデジタルビデオカメラが使用されている。（例えば、特許文献１、特許文献２）。このようなデジタルビデオカメラにおいては、ＵＳＢケーブルやメモリーカード等の送信手段によって、パソコンやＰＤＡなどの情報機器に動画データを送信することにより、パソコンやＰＤＡ側の撮影した動画データを扱うためのアプリケーションソフトによって動画を見たり、動画データを加工したりすることを可能としている。
【０００３】
この場合に、パソコンやＰＤＡ側ではアプリケーションソフトとして、デジタルビデオカメラから送られた動画データによる動画を見る場合には所謂「動画ビューワーソフト」が使用され、撮影した動画のサイズ変更や色調調整などを行う場合には所謂「動画加工ソフト」が使用され、撮影した動画データのファイリングやアルバム作りなどを行うには所謂「動画管理ソフト」が使用され、動画データの圧縮や圧縮された動画データの伸張を行う場合には所謂「動画圧縮伸張ソフト」が使用され、動画データのフォーマットを変換する場合には所謂「動画フォーマット変換ソフト」が使用されている。
【０００４】
【発明が解決しようとする課題】
しかし、そのようなデジタルビデオカメラにおいては、撮影した動画データを扱うための上述したようなアプリケーションソフト（以下単にアプリケーションソフトと称する）を情報機器側が有していない場合には、別途ＣＤ−ＲＯＭやフレキシブルディスクなどの媒体から取り込むか、Ｗｅｂページからダウンロードする必要がある。そのため、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、そのようなアプリケーションソフトを容易に使用することができなかった。さらに、アプリケーションソフトは、当該デジタルビデオカメラを使用しない場合であっても、利便性のため情報機器側のハードディスクなどのストレージに格納されているため、情報機器側のストレージに負担がかかり、記憶領域を無駄に使用していた。
【０００５】
そこで、本発明は、デジタルビデオカメラに内蔵されたフラッシュメモリーをＲＯＭ領域とＲＡＭ領域に区画し、該ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がなく、利便性を大幅に向上させることが可能なデジタルビデオカメラを提供することを目的とする。なお、フラッシュメモリーをＲＯＭ領域とＲＡＭ領域に区画して制御する技術としては、本出願人による特許出願（特許文献３）に開示されている技術によって実現可能である。
【特許文献１】特開平１０−１７４０３２号
【特許文献２】特開２００２−１１２１８７号
【特許文献３】特願２００２−１５５６８４号
【０００６】
【課題を解決するための手段】
本発明は、前記問題点を解決するために創作されたものであって、第１には、デジタルビデオカメラであって、撮影手段と、前記撮影手段によって撮影した動画を所定の圧縮形式のデジタル信号に動画圧縮する動画圧縮手段と、フラッシュメモリーと、前記フラッシュメモリーをＲＯＭ領域とＲＡＭ領域に区画して制御するメモリーコントローラーと、外部の情報機器に動画データを転送可能とする動画データ転送手段とを有することを特徴とする。
【００１３】
また、第２には、前記第１の構成のデジタルビデオカメラにおいて、前記フラッシュメモリーのＲＯＭ領域に、撮影した動画データを情報機器側で扱うためのアプリケーションソフトが格納されていることを特徴とする。
【００１４】
この第１又は第２の構成のデジタルビデオカメラにおいては、前記フラッシュメモリーがＲＯＭ領域とＲＡＭ領域に区画して制御されるため、前記ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がないため、情報機器側のストレージへの負担がなく、記憶領域の有効利用を図ることが可能となる。また、関連するアプリケーションソフトは前記ＲＯＭ領域に格納されるため、誤って消去してしまうおそれがないとともに、前記ＲＡＭ領域側へは、撮影した動画データを格納することにより、動画データは自由に読み出し、消去が可能であるため、利便性が大幅に向上する。
【００１５】
また、第３には、前記第１又は２の構成のデジタルビデオカメラにおいて、前記フラッシュメモリーに格納される撮影した動画データを情報機器側で扱うためのアプリケーションソフトが、動画ビューワーソフト、動画加工ソフト、動画管理ソフト、動画圧縮伸張ソフト、動画フォーマット変換ソフトのうち何れかであることを特徴とする。
【００１６】
また、第４には、前記第１又は２又は３の構成のデジタルビデオカメラにおいて、前記ＲＡＭ領域をＦＡＴファイルシステムによって管理するとともに、前記ＲＯＭ領域をＩＳＯ９６６０ファイルシステム及び／又はＨＦＳによって管理することを特徴とする。
【００１７】
この第４の構成のデジタルビデオカメラにおいては、前記ＲＡＭ領域をＦＡＴファイルシステムによって管理するとともに、前記ＲＯＭ領域をＩＳＯ９６６０ファイルシステム及び／又はＨＦＳによって管理している。そのため、ＲＡＭ領域がＦＡＴファイルシステムによって管理されるため、情報機器側にリムーバルディスクとして認識させることができ、またＲＯＭ領域がＩＳＯ９６６０ファイルシステムによって管理されているため、情報機器側にＣＤ−ＲＯＭドライブとして認識させることができる。そのため、ＲＡＭ領域には通常のリムーバルディスクとしてアクセスすることができ、また、ＲＯＭ領域に実行ファイルを書き込むことで、自動再生機能である所謂「オートラン（ＡＵＴＯ  ＲＵＮ）」を情報機器に行わせることが可能となる。
【００１８】
【発明の実施の形態】
本発明の実施の形態としての実施例を、図面を利用して以下に説明する。本発明の実施例に基づくデジタルビデオカメラ１は、図１に示すように、光学ユニット１０、動画処理部１６、フラッシュメモリー２０、ＭＰＵ（マイクロプロセッサユニット）３０、メモリーコントローラー４０、ＵＳＢコントローラー５０、収音ユニット６０を有している。その他、必要に応じてストロボユニット、液晶ディスプレイ、磁気テープスロット、カードスロット、電源ユニット等を備えている。
【００１９】
前記光学ユニット１０は、レンズ１２、ＣＣＤ受光部１４を有しており、レンズ１２を通して得られた被写体の動画を、ＣＣＤ受光部１４のＣＣＤ素子によって電気信号の動画データに変換する。前記動画処理部１６は、前記ＣＣＤ受光部１４からの動画データを、圧縮アルゴリズムとしてＭＰＥＧ４方式のＭＰＥＧ４データ（或いはＭｏｔｉｏｎ−ＪＰＥＧなど）に変換し、帯域制限やフレーム数制限を施す。
【００２０】
前記フラッシュメモリー２０は、記憶保持動作が不要な半導体メモリーであり、メモリーコントローラー４０の指令に基づいてデータを指定されたアドレス位置に記憶する。また、指定されたアドレス位置のデータを取り出して、ＵＳＢコントローラー５０に送る。また、前記フラッシュメモリー２０は、記憶領域を前記メモリーコントローラー４０によってＲＯＭ領域２２とＲＡＭ領域２４とに区画して制御される。
【００２１】
そして、前記フラッシュメモリー２０のＲＯＭ領域２２には、撮影した動画データを情報機器側で扱うためのアプリケーションソフトである動画ビューワーソフト、動画加工ソフト、動画管理ソフト、動画圧縮伸張ソフト、及び動画フォーマット変換ソフトが格納されている。また、ＲＡＭ領域２４には、デジタルビデオカメラ１によって撮影された動画データが保存される。
【００２２】
また、前記フラッシュメモリー２０内のＲＯＭ領域２２とＲＡＭ領域２４とは、異なるファイルシステムによって管理されている。具体的には、ＲＯＭ領域２２はＩＳＯ９６６０ファイルシステム及び／又はＨＦＳによって管理され、ＲＡＭ領域２４はＦＡＴファイルシステムによって管理されている。ここで、ＩＳＯ９６６０ファイルシステムは、主にデータ用ＣＤ−ＲＯＭに使用されるファイルシステムであり、ＦＡＴファイルシステムは、主にＭＳ−ＤＯＳにおけるブロックデバイス（フレキシブルディスク、ハードディスク等）上のファイルを管理するためのシステムであり、またＨＦＳ（Ｈｉｅｒａｒｃｈｉｃａｌ  Ｆｉｌｅ  Ｓｙｓｔｅｍ）は、階層構造を使ってファイルを分類することにより、数多くのファイルがハードディスクにあってもフォルダでファイルを上手に整理できるとするものである。なお、ＩＳＯ９６６０ファイルシステムとＨＦＳ両方に対応したハイブリッド形式としてもよい。
【００２３】
前記ＭＰＵ３０は、上記各ユニットの状態を管理し、指令を行い、データの送受信を制御するなど、統括的な制御を行う。なお、本実施例では、動画処理部１６、メモリーコントローラー４０、ＵＳＢコントローラー５０、音声処理部６４などは、ＭＰＵ３０とは別構成の機能ブロックとしているが、それらの機能の一部を該ＭＰＵ３０に分担させたり、同一の機能ブロックとすることも可能である。
【００２４】
前記ＵＳＢコントローラー５０は、ＵＳＢインターフェース機能を有しており、外部の情報機器のＵＳＢホストコントローラーとの通信を制御し、入ってくるパケットの検出、パケットの送信、パケットＩＤの生成や解読、ＵＳＢシリアルデータとパラレルデータの変換などを行い、動画データや前記アプリケーションソフト等の送受信を行う動画データ転送手段である。また、送られたデータ及び送るデータを記憶するバッファを有しており、情報機器側のＵＳＢホストコントローラーとの通信上必要な処理の多くを自動的に行うとともに、ＵＳＢホストコントローラーからのリクエストに応答する。その他、エラー処理や電力管理などを行う。
前記収音ユニット６０は、マイクロフォン６２を有しており、周囲の音声を電気信号の音声データに変換する。前記音声処理部６４は、前記マイクロフォン６２より得られる動画に付随する音声信号の圧縮処理を施した音声信号を生成する。
【００２５】
次に、本実施例の使用状態を説明する。前記デジタルビデオカメラ１によって図示略の撮影ボタンが押され撮影が行われると、前記レンズ１２を通して得られた被写体の動画がＣＣＤ受光部１４によって電気信号の動画データに変換され、前記動画処理部１６によって、ＭＰＥＧ４方式で圧縮されたＭＰＥＧ４データに変換される。そして、そのようにＭＰＥＧ４データに変換された動画データは、ビデオカセットテープやストレージカード、或いは前記フラッシュメモリー２０内のＲＡＭ領域２４に格納される。
【００２６】
そして、図２に示すように、前記デジタルビデオカメラ１のＵＳＢポートにＵＳＢコネクタ２が装着され、情報機器であるＰＣ（パーソナルコンピューター）１００のＵＳＢポートにＵＳＢコネクタ４が装着されると、前記デジタルビデオカメラ１はＰＣ１００とＵＳＢケーブル３によって接続され、ＰＣ１００がデジタルビデオカメラ１の各ディスクリプタを取得し、アドレスのアサイン、コンフィグレーション、パイプの初期化などが行われて、エニュメレーション処理される。それにより、前記ＰＣ１００は、前記デジタルビデオカメラ１のデバイスディスクリプタに記述されたベンダＩＤ、製品ＩＤ、またはＣｌａｓｓ，Ｓｕｂｃｌａｓｓから、デジタルビデオカメラ１を認識する。これにより、前記ＰＣ１００と前記デジタルビデオカメラ１とのＵＳＢパケット通信が可能となる。
【００２７】
また、上述したように、前記フラッシュメモリー２０内のＲＯＭ領域２２がＩＳＯ９６６０ファイルシステムによって管理されているため、ＰＣ１００等の情報機器に接続された場合には、情報機器側にＣＤ−ＲＯＭドライブとして認識させることができる。そのため、前記フラッシュメモリー２０内のＲＯＭ領域２２は、図３に示すように、ＰＣ１００のディスプレイ上にＣＤ−ＲＯＭドライブとして表示され、格納されているアプリケーションのフォルダが表示される。また、ＣＤ−ＲＯＭドライブとして認識されるため、ＲＯＭ領域２２に実行ファイルを書き込むことで、自動再生機能である所謂「オートラン（ＡＵＴＯ  ＲＵＮ）」を情報機器側に行わせることが可能となっている。
【００２８】
また、以上のように、前記フラッシュメモリー２０内のＲＯＭ領域２２とＲＡＭ領域２４とを、異なるファイルシステムによって管理することによって、書き込み／読み出し／削除が、異なる手段（ソフト）によるものとなるため、一方の領域には書き込み／読み出し／削除の何れかをできないようにすることができるとともに、一方の領域をユーザーから見えないようにすることも可能となる。
【００２９】
以上のように、フラッシュメモリー２０内をＲＯＭ領域２２とＲＡＭ領域２４とに区画することによって、ＲＯＭ領域２２に書き込まれたソフトウェア等は誤って消去されてしまうことがないとともに、ＲＡＭ領域２４には自由に書き込みを行うことができ、本実施例によるデジタルビデオカメラ１は、今までに無い多様な実施態様、独特な効果を得ることが可能になる。
【００３０】
つまり、前記フラッシュメモリー２０のＲＯＭ領域２２には、上述したように、予め撮影した動画データを情報機器側で扱うためのアプリケーションソフトが格納されており、ＰＣ１００側はそのようなアプリケーションソフトを有していなくても、前記フラッシュメモリー２０のＲＯＭ領域２２から読み込むことにより容易に使用することができる。そのため、各フォルダ内のセットアップファイルを実行することにより、各アプリケーションソフトをＰＣ１００側にインストールすることが可能になる。
【００３１】
これに対して、従前の構成においては、デジタルビデオカメラ機能に関するアプリケーションソフトである動画ビューワーソフト、動画加工ソフト、動画管理ソフト、動画圧縮伸張ソフト、動画フォーマット変換ソフトなどをＰＣ１００側が有していない場合には、別途ＣＤ−ＲＯＭやフレキシブルディスクなどの媒体から取り込むか、Ｗｅｂページからダウンロードする必要があるが、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、そのようなデジタルビデオカメラ機能に関するアプリケーションソフトを容易に使用することができなかった。
【００３２】
さらに、そのようなアプリケーションソフトは前記フラッシュメモリー２０のＲＯＭ領域２２に格納されるため、ユーザーによって誤って消去されてしまうおそれがないとともに、前記ＲＡＭ領域２４側へは、撮影した動画データを格納することにより、動画データは自由に読み出し、消去が可能である。そのため、利便性が大幅に向上し、顕著な効果を有するデジタルビデオカメラとすることができる。また、アプリケーションソフトをＰＣ１００側のハードディスクなどのストレージに格納する必要がないため、情報機器側のストレージへの負担がなく、記憶領域の有効利用を図ることが可能となる。
【００３３】
なお、本技術は、上記実施例の構成のみに限定されるものではなく、多様な態様が可能である。例えば、本実施例によるデジタルビデオカメラ１では、所定のデータ転送方式をＵＳＢ規格としているが、それのみに限定されるものではなく、ＩＥＥＥ１３９４規格や赤外線転送方式など、どのような方式であってもよい。
【００３４】
また、本実施例によるデジタルビデオカメラ１では、前記フラッシュメモリー２０に格納されるデジタルビデオカメラ機能に関するアプリケーションソフトを、動画ビューワーソフト、動画加工ソフト、動画管理ソフト、動画圧縮伸張ソフト、動画フォーマット変換ソフトとしているが、それのみに限定されるものではなく、静止画作成ソフトや、年賀状動画プリントソフトなど、撮影した動画データを情報機器側で扱うためのアプリケーションソフトであればよい。
【００３５】
また、前記光学ユニット１０は、ＣＣＤ素子によるＣＣＤ受光部１４としているが、ＣＭＯＳイメージセンサによるものであってもよい。
【００３６】
【発明の効果】
本発明の請求項１又は２に基づくデジタルビデオカメラによれば、前記フラッシュメモリーがＲＯＭ領域とＲＡＭ領域に区画して制御されるため、前記ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がないため、情報機器側のストレージへの負担がなく、記憶領域の有効利用を図ることが可能となる。また、関連するアプリケーションソフトは前記ＲＯＭ領域に格納されるため、誤って消去してしまうおそれがないとともに、前記ＲＡＭ領域側へは、撮影した動画データを格納することにより、動画データは自由に読み出し、消去が可能であるため、利便性が大幅に向上する。
【００３７】
また、特に、請求項４に基づくデジタルビデオカメラによれば、前記ＲＡＭ領域をＦＡＴファイルシステムによって管理するとともに、前記ＲＯＭ領域をＩＳＯ９６６０ファイルシステム及び／又はＨＦＳによって管理している。そのため、ＲＡＭ領域がＦＡＴファイルシステムによって管理されるため、情報機器側にリムーバルディスクとして認識させることができ、またＲＯＭ領域がＩＳＯ９６６０ファイルシステムによって管理されているため、情報機器側にＣＤ−ＲＯＭドライブとして認識させることができる。そのため、ＲＡＭ領域には通常のリムーバルディスクとしてアクセスすることができ、また、ＲＯＭ領域に実行ファイルを書き込むことで、自動再生機能である所謂「オートラン（ＡＵＴＯ  ＲＵＮ）」を情報機器に行わせることが可能となる。
【図面の簡単な説明】
【図１】本発明の実施例に基づくデジタルビデオカメラの構成を示す構成図である。
【図２】デジタルビデオカメラをパーソナルコンピューターにＵＳＢ接続した状態を示す説明図である。
【図３】デジタルビデオカメラのストレージ機能によるディスプレイ上の表示例を示す説明図である。
【符号の説明】
１  デジタルビデオカメラ
１０  撮影手段
１６  動画処理手段
２０  フラッシュメモリー
２２  ＲＯＭ領域
２４  ＲＡＭ領域
４０  メモリーコントローラー
５０  動画データ転送手段
【図１】
2004208247.tif 000003
【図２】
2004208247.tif 000004
【図３】
2004208247.tif 000005